(57)【要約】【課題】パスワード等によらない、新たな個体の真正保証方式を実現することである。【解決手段】サーバ１００は、携帯電話機３００から所定の発信間隔Ｔで発信される、各携帯電話機３００に固有な端末ＩＤを、受信する。そして、受信した端末ＩＤの発信元である携帯電話機３００の位置情報（発信位置）を取得するとともに、受信時刻と対応付けて、端末ＩＤ毎に蓄積・記憶する。  それとともに、サーバ１００は、端末ＩＤ毎に、蓄積・記憶された受信時刻、及び発信位置に基づき、当該端末ＩＤを発信する携帯電話機３００が複数存在するか否かを判定する。そして、複数存在する場合には、それぞれの真贋（“本物”であるか否か）を判定する。【選択図】図２
2007282249.tif 000002
【特許請求の範囲】
【請求項１】
複数の携帯端末と通信可能なサーバシステムであって、
携帯端末から発信される、携帯端末を一意的に識別するための端末識別情報及び当該携帯端末の位置を示す位置情報を受信する受信手段と、
前記受信手段により受信された端末識別情報と位置情報とを対応付けて、蓄積・記憶し、更に、端末識別情報が前記受信手段により受信された時刻を対応付けて蓄積・記憶する記憶手段と、
（１）端末識別情報及び受信時刻、又は、（２）端末識別情報、位置情報、及び受信時刻、に基づいて、同一の端末識別情報を発信する、複数の異なる携帯端末の存否を判定する重複判定手段と、
前記記憶手段に記憶された受信時刻に基づいて、各端末識別情報毎に、当該端末識別情報の継続受信時間を算出する継続受信時間算出手段と、
前記継続受信時間算出手段により算出された継続受信時間を信頼度相当情報として、当該信頼度相当情報を管理して所定の決済処理を行う決済システムに送信する送信手段と、
を備えることを特徴とするサーバシステム。
【請求項２】
前記重複判定手段は、
前記記憶手段に蓄積・記憶されている位置情報及び受信時刻に基づき、携帯端末の移動の適正／不適正を判定する移動判定手段を有し、
複数の異なる携帯端末の存否の判定に際し、更に、前記移動判定手段による判定結果を基に当該判定を行うことを特徴とする請求項１記載のサーバシステム。
【請求項３】
前記重複判定手段により同一の端末識別情報を発信する携帯端末が複数存在すると判定された場合に、前記記憶手段に記憶されている位置情報及び受信時刻に基づいて、当該複数の携帯端末それぞれの真贋を判定する第１の真贋判定手段、
を備えることを特徴とする請求項１又は２に記載のサーバシステム。
【請求項４】
前記重複判定手段により同一の端末識別情報を発信する携帯端末が複数存在すると判定された場合に、当該複数の携帯端末それぞれと所定の通信を行うことにより、当該携帯端末それぞれの真贋を判定する第２の真贋判定手段、
を備えることを特徴とする請求項１〜３の何れかに記載のサーバシステム。
【請求項５】
一の端末識別情報を指定する指定手段、を備え、
前記重複判定手段は、前記指定手段により指定された端末識別情報と同一の端末識別情報を発信する他の携帯端末の存否を判定する、ことを特徴とする請求項１〜４の何れかに記載のサーバシステム。
【請求項６】
前記重複判定手段は、前記記憶手段に蓄積・記憶されている全ての端末識別情報を対象として、前記判定を所定周期で実行することを特徴とする請求項１〜５の何れかに記載のサーバシステム。
【発明の詳細な説明】
【技術分野】
【０００１】
本発明は、サーバシステムに関する。
【背景技術】
【０００２】
従来、ＩＤ（Identification）を確認（保証）する方式として知られているものの１つにパスワードがある。この方式は、ＩＤを確認（保証）する際に、当該ＩＤに対応するパスワードの応答を求め、そのパスワードが予め登録されてあるパスワードと同一か否かによって当該ＩＤの真正を保証するものである（例えば、特許文献１参照）。
【特許文献１】特開２００１−１１７８７３号公報
【発明の開示】
【発明が解決しようとする課題】
【０００３】
しかしながら、従来のＩＤの保証方式によれば、原則、パスワードのみがそのＩＤの真贋を確認できる唯一のものである。従って、パスワードの情報が盗用された場合には、同一のＩＤを持つ２以上の個体（例えば、クレジットカード）の真贋を判別できず、容易に複製物を製造することができてしまっていた。
【０００４】
本発明の課題は、パスワード等によらない、新たな個体の真正保証方式を実現することである。
【課題を解決するための手段】
【０００５】
上記課題を解決するために、請求項１記載の発明は、
複数の携帯端末と通信可能なサーバシステムであって、携帯端末から発信される、携帯端末を一意的に識別するための端末識別情報及び当該携帯端末の位置を示す位置情報を受信する受信手段と、前記受信手段により受信された端末識別情報と位置情報とを対応付けて蓄積・記憶し、更に、端末識別情報が前記受信手段により受信された時刻を対応付けて蓄積・記憶する記憶手段と、（１）端末識別情報及び受信時刻、又は、（２）端末識別情報、位置情報、及び受信時刻、に基づいて、同一の端末識別情報を発信する、複数の異なる携帯端末の存否を判定する重複判定手段と、前記記憶手段に記憶された受信時刻に基づいて、各端末識別情報毎に、当該端末識別情報の継続受信時間を算出する継続受信時間算出手段と、前記継続受信時間算出手段により算出された継続受信時間を信頼度相当情報として、当該信頼度相当情報を管理して所定の決済処理を行う決済システムに送信する送信手段と、を備えることを特徴としている。
【０００６】
また、請求項２記載の発明のように、請求項１記載のサーバシステムにおいて、前記重複判定手段は、前記記憶手段に蓄積・記憶されている位置情報及び受信時刻に基づき、携帯端末の移動の適正／不適正を判定する移動判定手段を有し、複数の異なる携帯端末の存否の判定に際し、更に、前記移動判定手段による判定結果を基に当該判定を行うように構成してもよい。
【０００７】
また、請求項３記載の発明のように、請求項１又は２記載のサーバシステムにおいて、前記重複判定手段により同一の端末識別情報を発信する携帯端末が複数存在すると判定された場合に、前記記憶手段に記憶されている位置情報及び受信時刻に基づいて、当該複数の携帯端末それぞれの真贋を判定する第１の真贋判定手段、を備える構成としてもよい。
【０００８】
また、請求項４記載の発明のように、請求項１〜３の何れかに記載のサーバシステムにおいて、前記重複判定手段により同一の端末識別情報を発信する携帯端末が複数存在すると判定された場合に、当該複数の携帯端末それぞれと所定の通信を行うことにより、当該携帯端末それぞれの真贋を判定する第２の真贋判定手段、を備える構成としてもよい。
【０００９】
また、請求項５記載の発明のように、請求項１〜４の何れかに記載のサーバシステムにおいて、一の端末識別情報を指定する指定手段、を備え、前記重複判定手段は、前記指定手段により指定された端末識別情報と同一の端末識別情報を発信する他の携帯端末の存否を判定するように構成してもよい。
【００１０】
また、請求項６記載の発明は、請求項１〜５の何れかに記載のサーバシステムにおいて、前記重複判定手段は、前記記憶手段に蓄積・記憶されている全ての端末識別情報を対象として、前記判定を所定周期で実行することを特徴としている。
【発明の効果】
【００１１】
請求項１記載の発明によれば、端末識別情報を受信することで、当該端末識別情報の発信元である携帯端末を識別するとともに、その位置を示す位置情報を取得することができる。即ち、端末識別情報を受信することにより、その発信元である携帯端末の位置を把握し、当該携帯端末の追跡が可能となる。即ち、所定の認証システムにより“本物”と確認された携帯端末を追跡することで、係る携帯端末の真正（“本物”であること）を確実に保証できるとともに、同一の端末識別情報を発信する他の携帯端末は、全て贋物であると判定できる。
更に、携帯端末を追跡中、同一の端末識別情報を発信する他の携帯端末が出現した場合には、追跡中の携帯端末から発信される端末識別情報に加えて、出現した携帯電話機から発信される端末識別情報を受信する。つまり、“贋物”の出現を判定するとともに、当該“贋物”を追跡することができる。
尚、携帯端末から端末ＩＤとともに送信される位置情報は、例えば、携帯端末が有するＧＰＳ機能により実現される。
【００１２】
また、請求項１記載の発明によれば、端末識別情報を取得することで、当該端末識別情報の発信元である携帯端末の位置とともに、その時の時刻（受信時刻）を取得できる。即ち、係る携帯端末の位置の変化を時間経過とともに把握することで、当該携帯端末を継続的に追跡することが可能となる。
【００１３】
ところで、上述した従来のＩＤの保証方式は、そのＩＤに対応するパスワードという情報が唯一の手がかりとなっている点の他、ＩＤを確認する時期が離散的であるという点が特徴である。
しかし、本発明によれば、継続的に個体を追跡することによるため、当該個体の真正を保証することができる。即ち、複製物（贋物）が発生した場合には、自動的に発見され、その複製物（贋物）の位置が特定され、その複製物（贋物）も追跡されることとなる。
【００１４】
また、請求項１記載の発明によれば、携帯端末から発信される端末識別情報を継続して受信している継続受信時間、即ち連続追跡時間に基づいて、当該携帯端末に対する信頼度相当情報を算出できる。  そして、算出した信頼度相当情報を決済システムに送信することで、決済システムにおいては、この連続追跡時間を携帯端末に対する信頼度として扱うことができる。この際には、信頼度相当情報は、継続受信時間とともに増加するように定めることが望ましい。
【００１５】
また、請求項２記載の発明によれば、例えば、前回の受信時刻から今回の受信時刻までの間に移動した距離が、受信間隔において移動可能な距離であるか否かにより、移動の適正／不適正を判定することができる。そして、移動が不適正である場合には、互いに離れた場所に同時に存在する、同一の端末識別情報を発信する複数の携帯端末の判定が可能となる。
【００１６】
また、請求項３記載の発明によれば、複数存在すると判定された携帯端末毎に、蓄積・記憶されている過去の位置情報と受信時刻との関係（移動パターン）から、“本物”であるか“贋物”であるかを判定することができる。例えば、この判定基準としては、既に“本物”と判定されている携帯端末の移動パターンと合致する移動パターンの携帯端末を“本物”と判定してもよいし、また、連続して追跡している移動パターンに合致する移動パターンの携帯端末を“本物”と判定することとしてもよい。
【００１７】
また、請求項４記載の発明によれば、複数存在すると判定された携帯電話機毎に、所定の情報通信、例えば、通常のパスワードと比較してセキュリティの高いワンタイムパスワードによる照合を行うことで、“本物”であるか“贋物”であるかを確実に判定できる。
【００１８】
また、請求項５記載の発明によれば、受信の有無に関わらず、“贋物”の可能性のある端末識別情報に対して、“本物”であるか“贋物”であるかの判定が可能となる。
【００１９】
また、請求項６記載の発明によれば、前記重複手段は、端末識別情報の受信の有無にかかわらず、所定周期毎に、同一の端末識別情報を発信する異なる複数の携帯端末が存在するかの判定を行うため、“贋物”が存在するかの判定を、より確実に行うことができる。
【発明を実施するための最良の形態】
【００２０】
以下、本発明に好適な実施の形態を、図面を参照して詳細に説明する。尚、以下では、携帯電話機を追跡対象とする端末追跡システムに本発明を適用した場合について説明するが、本発明の適用はこれに限られるものではない。
【００２１】
この端末追跡システムとは、主に携帯電話機とサーバとにより構成され、“本物”であると確認された携帯電話機を、サーバが連続的に追跡することにより、当該携帯電話機の真正を保証するシステムである。そして、追跡中の携帯電話機以外の携帯電話機は、全て“贋物”であると判定される。
【００２２】
より具体的には、当該システムは、図１に示すフローチャートに従って追跡を実行する。同図によれば、先ず携帯電話機の使用開始時には、例えば購入店舗で、この携帯電話機が“本物”であることの確認即ち認証を行う（ステップＳ１）。認証がなされた後、サーバは、当該携帯電話機の追跡を開始する（ステップＳ２）。
尚、この追跡は、後述するように、携帯電話機から発信される所定の情報を、サーバが継続的に受信し、その位置を把握することにより実現される。
【００２３】
そして、携帯電話機の追跡が、原則的に半永久的に実行される（ステップＳ３：ＮＯ、ステップＳ４）。この追跡により携帯電話機の真正が保証される。
但し、例えば携帯電話機の電源がＯＦＦになる、或いは地下街に移動する等により、サーバと携帯電話機との通信が途切れた場合には、携帯電話機の追跡が中断する（ステップＳ５：ＹＥＳ）。
【００２４】
携帯電話機の追跡が中断した場合には、サーバと携帯電話機との通信が再度可能となるまで待機する（ステップＳ６）。そして、再度通信が可能、即ち追跡再開が可能となった場合には（ステップＳ７：ＹＥＳ）、ステップＳ１に戻り、再度携帯電話機の認証を行う。“本物”であることが確認された後（ステップＳ１）、サーバは、携帯電話機の追跡を再開する（ステップＳ２）。
尚、ここでの携帯電話機の認証は、例えば携帯電話機の購入店舗やそれに準ずる正規の認証場所における確認作業や、携帯電話機の所有者が、自宅等の予め登録された場所から固定電話機等の安全な通信手段で管理センターに使用開始を通告する、若しくはサーバ・携帯電話機間の所定の情報通信等により実現される。
【００２５】
また、携帯電話機の追跡中、携帯電話機の破損や契約の解除等、当該携帯電話機の使用が終了された場合には、この使用終了に伴い、当該携帯電話機に対する追跡は終了となる（ステップＳ３：ＹＥＳ）。以下、この端末追跡システムを実現する２つの実施例について、詳細に説明する。
【００２６】
〔第１の実施例〕
先ず、図２〜図１２を参照し、第１の実施例について説明する。
【００２７】
図２は、第１の実施例における端末追跡システム１０００の構成を示す図である。同図によれば、端末追跡システム１０００は、サーバ１００、複数の基地局２００、及び複数の携帯電話機３００より構成される。尚、同図においては３つの基地局２００と、４つの携帯電話機３００とが示されているが、勿論これは幾つでも構わない。
【００２８】
サーバ１００のハードウェア構成は、ＣＰＵ、ＲＡＭ、ＲＯＭ、補助記憶装置、ＣＤ或いはＭＯといった外部記憶媒体に記憶された情報を読込自在な記憶媒体読込装置、当該サーバ１００外部と情報通信を行う通信装置等がシステムバスを介して接続される、公知の汎用サーバ装置のハードウェア構成と同様である。
また、サーバ１００は、通信ネットワークＮを介して基地局２００と接続されている。そして、これらの基地局２００を中継して携帯電話機３００と各種情報通信を行うことで、携帯電話機３００を追跡するとともに、その真贋を判定する。
【００２９】
基地局２００は、通信ネットワークＮを介してサーバ１００と接続される。また、基地局２００は、携帯電話機３００の移動範囲であると予想される場所を、これらの通信エリアが隙間なくカバーするよう、配置されている。
そして、当該基地局２００の通信エリア内の携帯電話機３００から発信される各種信号を受信してサーバ１００に送信するとともに、サーバ１００から送信される各種信号を、当該基地局２００内の指定された携帯電話機３００に送信する。即ち、基地局２００は、当該基地局２００の通信エリア内の携帯電話機３００とサーバ１００との情報通信を中継している。
【００３０】
尚、通信ネットワークＮ及び基地局２００は、端末追跡システム１０００のために設けられる専用のネットワーク及び基地局２００であるが、携帯電話機３００に係る無線通話システム等、他の外部システムのために設けられているネットワーク及び基地局と兼用であることとしても構わない。即ち、通信ネットワークＮ及び基地局２００を介することによるサーバ１００と携帯電話機３００間の通信システム自体は、公知の技術から構成される。
【００３１】
携帯電話機３００は、ＣＰＵ、ＲＡＭ、ＲＯＭ、数字キーや操作キー等の入力装置、小型液晶ディスプレイ等の表示装置、無線通信を行う無線通信装置等がシステムバスを介して接続されたものであり、いわゆる公知の無線電話機能を有する。また、携帯電話機３００は、電源が投入されている間、当該携帯電話機３００の端末ＩＤを、所定の発信間隔Ｔで発信する。
【００３２】
端末ＩＤとは、複数の携帯電話機３００を一意的に識別するためのＩＤであり、携帯電話機３００毎に異なる端末ＩＤが割り当てられ、各携帯電話機３００の記憶媒体に記憶されている。即ち、各携帯電話機３００は、それぞれ異なる端末ＩＤを発信する。
そして、サーバ１００は、各携帯電話機３００から発信される端末ＩＤを受信することで、各携帯電話機３００を識別するとともに、その位置を取得し、当該携帯電話機３００を追跡する。
【００３３】
尚、ここで、携帯電話機３００を「追跡」するとは、サーバ１００が、携帯電話機３００から発信される端末ＩＤを、発信間隔Ｔと等しい時間間隔で継続的に受信し、当該携帯電話機３００の位置を把握していることを意味している。即ち、携帯電話機３００の位置を継続的に取得するとともに、取得した位置が所定の整合条件を満足している状態を、サーバ１００が携帯電話機３００を連続的に「追跡」しているものとみなしている。
【００３４】
ところで、携帯電話機３００は、電源が投入されている間のみ端末ＩＤを発信し、電源が投入されていない場合には、端末ＩＤを発信しない。一方、サーバ１００は、携帯電話機３００から発信される端末ＩＤを受信することで、当該携帯電話機３００を識別する。
更に、携帯電話機３００の位置が、地下街やトンネルの中等である場合等には、サーバ１００は、当該携帯電話機３００より発信される端末ＩＤの受信が不可能となる。
【００３５】
そのため、本実施の形態においては、携帯電話機３００から発信される端末ＩＤがサーバ１００において受信されている状態、即ち、サーバ１００が携帯電話機３００から発信される端末ＩＤを受信している状態を意味して、当該携帯電話機３００が「存在」するという。
そして、携帯電話機３００の電源が投入され端末ＩＤの発信が開始される等、携帯電話機３００から発信される端末ＩＤが、サーバ１００において受信可能となった状態を意味して、当該携帯電話機３００が「出現」したという。
【００３６】
また、携帯電話機３００から発信される端末ＩＤは、基地局２００を中継し、サーバ１００にて受信される。そして、サーバ１００は、受信した端末ＩＤがどの基地局２００を中継して送信されたかにより、当該端末ＩＤを発信した携帯電話機３００の位置を特定する。
【００３７】
具体的には、中継した基地局２００の通信エリアを、端末ＩＤの発信元である携帯電話機３００の位置とし、当該基地局２００の設置位置を携帯電話機３００の位置とみなして、基地局２００の位置を特定する。但し、２つ以上の基地局を中継した場合には、中継した各基地局の設置位置の内、何れか１つの位置を、基地局２００の位置とする。
以下、端末ＩＤの発信元の位置として特定された位置を、当該端末ＩＤの「発信位置」という。
【００３８】
次に、サーバ１００による携帯電話機３００の追跡、及び真贋判定の原理について、説明する。尚、本原理の説明において「端末ＩＤ」とは、ある１つの端末ＩＤを指しているものとする。
【００３９】
図３は、端末ＩＤを発信する携帯電話機３００が１台のみ（「携帯電話機Ａ」とする。）存在する場合を示す図である。
図３（ａ）においては、横軸を時間として、携帯電話機Ａにおける端末ＩＤの発信時刻、及びサーバ１００における端末ＩＤの受信時刻ｔが示されている。
【００４０】
同図（ａ）によれば、携帯電話機Ａは、発信間隔Ｔで端末ＩＤを発信し、その発信時刻は、ｔ１、ｔ２、ｔ３、・・である。
そして、サーバ１００は、携帯電話機Ａから発信される端末ＩＤを受信する。即ち、受信時刻ｔは、ｔ１、ｔ２、ｔ３、・・であり、各受信時刻ｔの間の時間間隔（以下、「受信間隔」という。）は、発信間隔Ｔと等しい。また、各受信時刻ｔ１、ｔ２、ｔ３、・・における端末ＩＤの発信位置ｐ１、ｐ２、ｐ３、・・は、同図（ｂ）に示すようになる。
【００４１】
図３（ｂ）は、携帯電話機Ａの移動パターンを示す図である。この移動パターンとは、１つの携帯電話機３００に対する、受信時刻ｔと発信位置ｐとの関係のことである。
【００４２】
同図（ｂ）において、横軸は、サーバ１００における端末ＩＤの受信時刻ｔを、縦軸は、端末ＩＤの発信位置ｐを、それぞれ示している。
例えば、受信時刻ｔ１における発信位置はｐ１であり、受信時刻ｔ２における発信位置はｐ２である。また、受信時刻ｔ３における発信位置はｐ３である。
故に、サーバ１００は、受信時刻ｔ１からｔ２、そしてｔ３の間に、端末ＩＤの発信元である携帯電話機３００の位置は、ｐ１からｐ２、そしてｐ３へ移動したと判定する。また、この時の移動距離ｌは、同図（ｃ）に示すようになる。
【００４３】
図３（ｃ）において、横軸は、サーバ１００における端末ＩＤの受信時刻ｔを、縦軸は、移動距離ｌを、それぞれ示している。
移動距離ｌとは、受信間隔において、端末ＩＤの発信元である携帯電話機３００が移動したであろうとサーバ１００が判断する距離であり、詳細には、前回の発信位置ｐと今回の発信位置ｐとの間の距離である。
【００４４】
例えば、受信時刻ｔ２における移動距離ｌ２は、受信時刻ｔ１における発信位置ｐ１と受信時刻ｔ２における発信位置ｐ２との間の距離であり、また、受信時刻ｔ３における移動距離ｌ３は、受信時刻ｔ２における発信位置ｐ２と受信時刻ｔ３における発信位置ｐ３との間の距離である。
【００４５】
また、同図（ｃ）には、移動距離ｌの上限値Ｌが示されている。この上限値Ｌは、携帯電話機Ａが一定時間内に移動可能な距離の上限であり、例えば、携帯電話機Ａの発信間隔Ｔ、移動距離ｌ、或いはこの発信間隔Ｔ及び移動距離ｌに基づく携帯電話機Ａの移動速度により与えられる。より具体的には、携帯電話機Ａの所有者の行動（例えば歩行中である、自動車に乗っている）、或いはその周辺環境（自動車に乗っている場合であれば、一般道であるのか、高速道路であるのか）等の条件に基づいて、適宜設定される値である。
尚、同図（ｃ）においては、上限値Ｌは一定である。
【００４６】
従って、図３によれば、受信間隔が所定の発信間隔Ｔと等しく、且つ受信間隔における移動距離ｌが上限値Ｌ以下である場合、サーバ１００は、１つの携帯電話機３００から発信されている端末ＩＤを受信している、即ちこの端末ＩＤを発信する携帯電話機３００は、１つのみ存在すると判定する。
【００４７】
このように、サーバ１００が、携帯電話機３００から発信される端末ＩＤを、発信間隔Ｔと等しい受信間隔で受信しており、且つ移動距離ｌが上限値Ｌ以下である状態を、サーバ１００は当該携帯電話機３００を「追跡中」であるという。即ち、図２は、サーバ１００が携帯電話機Ａを追跡中の場合である。
【００４８】
図４は、サーバ１００が携帯電話機Ａを追跡中に、携帯電話機Ａの電源が一時遮断される等、サーバ１００と携帯電話機Ａとの通信が一時的に遮断された後、再度サーバ１００にて端末ＩＤの受信が再開された場合、即ち携帯電話機Ａが「出現」した場合を示す図である。
【００４９】
同図においては、横軸を時刻として、携帯電話機Ａにおける端末ＩＤの発信時刻、及びサーバ１００における端末ＩＤの受信時刻ｔが示されている。
また、通信遮断直前の発信時刻ｔ４と通信再開直後の発信時刻ｔ５との間の時間間隔を、以下、「通信遮断時間Ｔｄ」という。尚、発信時刻ｔ４以前、及び発信時刻ｔ５以降の発信間隔はＴである。
【００５０】
従って、サーバ１００は、携帯電話機３００の追跡中、受信間隔が一時変化した後、発信間隔Ｔと等しい受信間隔で、再度端末ＩＤを受信した場合には、当該携帯電話機３００の通信が遮断され、再度通信が開始された、即ち携帯電話機３００が出現したと判定する。
また、サーバ１００は、この一時変化した受信間隔、即ち通信遮断時間Ｔｄの経過後、最初の受信時刻を、携帯電話機３００が出現した時刻（以下、「出現時刻」という。）と判定する。
【００５１】
また、サーバ１００は、携帯電話機３００が出現したと判定した場合、当該出現した携帯電話機３００の真贋を判定する。
これは、携帯電話機３００の通信が遮断された後、当該携帯電話機３００との通信が遮断された状態のまま、同一の端末ＩＤを発信する贋物の携帯電話機３００の電源が投入され、通信が開始された可能性も有り得るからであり、即ち、出現した携帯電話機３００は、通信遮断前の携帯電話機３００と必ずしも同一であるとは判定できないからである。
【００５２】
真贋の判定には、サーバ１００が、出現した携帯電話機３００との間で所定の情報通信を行うことにより実現する。
より詳細には、サーバ１００は、出現した携帯電話機３００に対してパスワードの要求を行う。そして、この要求に応答したパスワードにより、出現した携帯電話機３００の真贋を判定する。
また、このパスワードは、各携帯電話機３００毎に予め定められた固有のパスワードであって、１回のみ有効な、いわゆるワンタイムパスワードである。そして、複数のワンタイムパスワードが、予め携帯電話機３００内に組み込まれ、真贋判定時に使い切りとして使用される。尚、このワンタイムパスワードの技術は、何れの公知技術を用いて実現して構わない。
【００５３】
尚、この真贋の判定は、上記所定の情報通信に限らず、他の手法、例えば上述のように、購入店舗やそれに準ずる正規の認証場所における確認作業、若しくは当該携帯電話機の所有者により、自宅等の予め登録された場所から固定電話機等の安全な通信手段で管理センターに使用開始を通告されることにより実現されることとしてもよい。
【００５４】
さて、図５は、携帯電話機Ａの追跡中に、他の携帯電話機３００（「携帯電話機Ｂ」とする。）が出現した場合を示す図である。尚、この携帯電話機Ｂは、携帯電話機Ａと同一の端末ＩＤを発信する。
【００５５】
図５（ａ）においては、横軸を時刻として、携帯電話機Ａにおける端末ＩＤの発信時刻、携帯電話機Ｂにおける端末ＩＤの発信時刻、及びサーバ１００における端末ＩＤの受信時刻ｔが示されている。
【００５６】
同図（ａ）によれば、携帯電話機Ａは、発信間隔Ｔで端末ＩＤを発信し、その発信時刻はｔａ１、ｔａ２、ｔａ３・・である。また、携帯電話機Ｂは、携帯電話機Ａが端末ＩＤを発信途中、具体的には発信時刻ｔａ２とｔａ３との間に出現し、携帯電話機Ａと等しい発信間隔Ｔで、端末ＩＤを発信する。その発信時刻は、ｔｂ１、ｔｂ２、ｔｂ３・・である。
【００５７】
そして、サーバ１００は、携帯電話機Ａから発信される端末ＩＤを、発信間隔Ｔと等しい受信間隔で受信するとともに、携帯電話Ｂの出現後は、更に携帯電話機Ｂから発信される端末ＩＤを受信する。つまり、受信時刻ｔは、ｔａ１、ｔａ２、ｔｂ１、ｔａ３、ｔｂ２、ｔａ４、ｔｂ３、・・である。また、受信間隔は、携帯電話機Ｂの出現前は、発信間隔Ｔと等しく、携帯電話機Ｂの出現後は、発信間隔Ｔより短い。
【００５８】
従って、受信間隔が発信間隔Ｔより短い場合、サーバ１００は、複数の携帯電話機３００から発信されている端末ＩＤを受信している、即ち同一の端末ＩＤを発信する複数の携帯電話機３００が存在すると判定する。
【００５９】
また、サーバ１００は、受信間隔が発信間隔Ｔより短くなった時点、即ち受信時刻ｔｂ１を、新たに出現した携帯電話機Ｂから発信される端末ＩＤを受信した時刻、即ち携帯電話機Ｂが出現した時刻（以下、「出現時刻」という。）ｔｂ１であると判定する。
【００６０】
そして、サーバ１００は、出現時刻ｔｂ１以降の各受信時刻ｔａ３、ｔｂ２、ｔａ４、・・が、携帯電話機Ａ、Ｂの何れから発信された端末ＩＤを受信した時刻であるのかを判定する。
具体的には、出現時刻ｔｂ１の直前の受信時刻ｔａ２から、発信間隔Ｔと等しい受信間隔で端末ＩＤを受信した時刻、即ち受信時刻ｔａ３、ｔａ４、ｔａ５、・・を、追跡中の携帯電話機Ａから発信される端末ＩＤの受信時刻であると判定する。また、出現時刻ｔｂ１から、発信間隔Ｔと等しい受信間隔で端末ＩＤを受信した時刻、即ち受信時刻ｔｂ２、ｔｂ３、・・を、出現した携帯電話機Ｂから発信される端末ＩＤの受信時刻であると判定する。
【００６１】
更に、サーバ１００は、追跡中の携帯電話機Ａが“本物”である場合には、新たに出現した携帯電話機Ｂを、“贋物”であると判定する。
【００６２】
また、各受信時刻ｔａ１、ｔａ２、ｔｂ１、・・における端末ＩＤの発信位置ｐａ１、ｐａ２、ｐｂ１、・・は、同図（ｂ）に示すようになる。
【００６３】
図５（ｂ）において、横軸は、サーバ１００における端末ＩＤの受信時刻ｔを、縦軸は、端末ＩＤの発信位置ｐを、それぞれ示している。そして、サーバ１００は、ここで示される受信時刻ｔと発信位置ｐとの関係から、携帯電話機Ａ、Ｂそれぞれの移動パターンを抽出する。
【００６４】
具体的には、受信時刻ｔａ１、ｔａ２、ｔａ３、・・は、図５（ａ）において説明したように、携帯電話機Ａから発信された端末ＩＤを受信した時刻である。故に、サーバ１００は、この受信時刻ｔａ１、ｔａ２、ｔａ３、・・と、その時の発信位置ｐａ１、ｐａ２、ｐａ３、・・との関係を、携帯電話機Ａの移動パターンＡとして抽出する。
【００６５】
同様に、受信時刻ｔｂ１、ｔｂ２、ｔｂ３、・・は、携帯電話機Ｂから発信された端末ＩＤを受信した時刻である。故に、サーバ１００は、この受信時刻ｔｂ１、ｔｂ２、ｔｂ３、・・と、その時の発信位置ｐｂ１、ｐｂ２、ｐｂ３、・・との関係を、携帯電話機Ｂの移動パターンＢとして抽出する。
【００６６】
そして、サーバ１００は、抽出した各移動パターンＡ、Ｂと、“本物”である携帯電話機３００の移動パターンとを照合し、どちらの移動パターンが“本物”の携帯電話機３００の移動パターンであるか、即ち携帯電話機Ａ、Ｂのどちらが“本物”であるかを判定する。この判定は、日時を基に、蓄積・記憶されている“本物”の携帯電話機３００の移動パターンと比較して判断してもよいし、従前から継続して追跡している方を“本物”と判定してもよい。
【００６７】
ところで、同一の端末ＩＤを発信する複数の携帯電話機３００が存在するか否かの判定は、次の方法によっても実現される。即ち、同図（ｂ）によれば、受信時刻ｔａ１における発信位置はｐａ１であり、受信時刻ｔａ２における発信位置はｐａ２である。そして、受信時刻ｔｂ１における発信位置はｔｂ１である。
故に、サーバ１００は、受信時刻ｔａ１からｔａ２、そしてｔｂ１の間に、端末ＩＤの発信元である携帯電話機３００の位置は、ｐａ１からｐａ２、そしてｐｂ１へ移動したと判定する。そして、この時の移動距離ｌは、同図（ｃ）に示すようになる。
【００６８】
図５（ｃ）において、横軸は、サーバ１００における端末ＩＤの受信時刻ｔを、縦軸は、移動距離ｌを、それぞれ示している。
例えば、受信時刻ｔａ２における移動距離ｌ２は、受信時刻ｔａ１における発信位置ｐａ１と受信時刻ｔａ２における発信位置ｐａ２との間の距離であり、また、受信時刻ｔｂ１における移動距離ｌ３は、受信時刻ｔａ２における発信位置ｐａ２と受信時刻ｔｂ１における発信位置ｐｂ１との間の距離である。
【００６９】
そして、受信時刻ｔａ１、ｔａ２、即ち携帯電話機Ｂの出現以前における移動距離ｌ１、ｌ２は、何れも移動距離の上限値Ｌ以下である。一方、携帯電話機Ｂの出現以降の受信時刻ｔｂ１、ｔａ３、ｔｂ２、・・における移動距離ｌｂ１、ｌａ３、ｌｂ２、・・は、何れも移動距離の上限値Ｌを超えている。
従って、移動距離ｌが上限を超えた場合、サーバ１００は、同一の端末ＩＤを発信する複数の携帯電話機３００が存在すると判定する。
【００７０】
従って、図５によれば、受信間隔が発信間隔Ｔより短い、或いは受信間隔における移動距離ｌが一定値を超える場合、サーバ１００は、異なる複数の携帯電話機３００から発信される端末ＩＤを受信している、即ち同一の端末ＩＤを発信する複数の携帯電話機３００が存在すると判定する。
【００７１】
以上説明したように、端末追跡システム１０００において、サーバ１００は、携帯電話機３００が発信する端末ＩＤを受信することで、当該携帯電話機３００を追跡する。また、受信時刻ｔと発信位置ｐとの関係より、新たな携帯電話機３００が出現したか否かを判定し、出現した場合には、過去の追跡結果等に基づき、当該出現した携帯電話機３００の真贋を判定する。
また、受信した端末ＩＤに係るデータを蓄積することで、サーバ１００は、当該携帯電話機３００をいつから（どの時点から）連続的に追跡しているかを把握することができる。即ち、追跡の開始時点が明確となり、“本物”と確認された携帯電話機を追跡することで、携帯電話機３００の真正の保証が可能となる。
【００７２】
次に、携帯電話機３００の構成について説明する。
図６は、携帯電話機３００の内部構成を示すブロック図である。同図によれば、携帯電話機３００は、制御部（ＣＰＵ）５０、入力部６０、表示部７０、無線通信部８０、記憶部（ＲＯＭ）９１、及び一時記憶部（ＲＡＭ）９２より構成される。
【００７３】
制御部５０は、携帯電話機３００を構成する各部を統括的に制御するものであり、記憶部９１から読み出した各種制御プログラムに従った処理を実行し、処理結果を記憶部９１内の所定領域に格納するとともに表示部７０に表示させる。
また、制御部５０は、電源スイッチが押下され、携帯電話機３００本体の電源が投入されると、記憶部９１に記憶されている端末ＩＤを、所定の発信間隔Ｔで、無線通信部８０より携帯電話機３００外部に発信させる。
【００７４】
入力部６０は、数字キーや操作キー等の各種機能キーや、電源スイッチ等により構成される。そして、キー或いはスイッチが押下されたことを検知すると、押下されたキー或いはスイッチに応じた押下信号を、制御部５０に出力する。
【００７５】
表示部７０は、小型液晶ディスプレイ（ＬＣＤ）等により構成され、制御部５０から入力される表示データに従った表示画面を表示する。
【００７６】
無線通信部８０は、基地局２００と接続し、サーバ１００との間の各種情報通信を実現するための通信装置である。例えば、制御部５０から入力される端末ＩＤ等の各種データを変調して無線アンテナ８１から送信するとともに、無線アンテナ８１にて受信された受信信号を増幅・復調し、復調後の受信信号を制御部５０に出力する。
【００７７】
記憶部９１は、フラッシュＲＯＭ等の不揮発性の半導体メモリで構成され、携帯電話機３００のシステムプログラム（初期化情報等）や各種処理プログラム、及び当該プログラムの実行に必要な諸データ、例えば端末ＩＤ等を記憶している。
【００７８】
一時記憶部９２は、制御部５０によって実行される各種処理において、記憶部９１や無線通信部８０、或いは入力部６０から取得されるプログラムやデータ、若しくは処理データ等を一時的に格納する作業領域として用いられるものである。
【００７９】
次に、サーバ１００の構成について説明する。
図７は、サーバ１００の内部構成を示すブロック図である。同図によれば、サーバ１００は、制御部（ＣＰＵ）１０、通信部２０、記憶部（ＨＤ等）３０、及び一時記憶部（ＲＡＭ）４０より構成される。
【００８０】
制御部１０は、記憶部３０に記憶されている、サーバ１００に対応する各種プログラム等の中から指定されたプログラムやデータ、通信部２０から取得される各種データを一時記憶部４０内に展開する。そして、このデータ等に応じて、上記プログラムに従う各種処理を実行し、処理結果を記憶部３０内の所定領域に格納する。
また、制御部１０は、サーバ１００を構成する各部の動作を統一的に制御するとともに、重複判定プログラム３３ａに従った重複判定処理ａ（図１０参照）、真贋判定プログラム３４ａに従った真贋判定処理ａ（図１１参照）、及び信頼度算出プログラム３５ａに従った信頼度算出処理ａ（図１２参照）を実行制御する。
【００８１】
具体的には、重複判定処理ａにおいて、制御部１０は、携帯電話機３００から発信される端末ＩＤを受信すると、中継した基地局２００より、当該端末ＩＤを発信した携帯電話機３００の位置を特定する。そして、特定した位置、即ち発信位置とこの端末ＩＤを受信した時刻（受信時刻）とを対応付けて、移動履歴ＤＢ３１ａ内の該当する領域に蓄積・記憶する。
それとともに、移動履歴ＤＢ３１ａを参照し、今回の受信時刻及び発信位置と、この端末ＩＤの前回の受信時刻及び発信位置より、係る端末ＩＤを発信する携帯電話機３００が複数存在するか否かを判定する。
【００８２】
即ち、重複判定処理ａにおいて、制御部１０は、図５を参照して説明したように、受信した端末ＩＤの受信間隔及び移動距離ｌより、同一の端末ＩＤを発信する複数の携帯電話機が存在する可能性、即ち重複の有無を判定する。そして、重複の可能性有りと判定したものについは、該当する移動履歴データテーブルの重複フラグをＯＮとし、後述する真贋判定処理ａにおける判定対象とする。
【００８３】
また、制御部１０は、真贋判定処理ａにおいて、移動履歴ＤＢ３１ａを参照し、端末ＩＤ毎に、重複判定処理ａにおいて存在すると判定された複数の携帯電話機３００それぞれの真贋を判定する。
【００８４】
更に、制御部１０は、上記真贋判定処理ａに続いて実行する信頼度算出処理ａにおいて、移動履歴ＤＢ３１ａを参照し、端末ＩＤ毎に、複数の携帯電話機３００それぞれの信頼度を算出するとともに、信頼度データテーブル３２ａを更新する。
【００８５】
また、制御部１０は、計時機能を有しており、この計時機能により計時される時刻に基づいて、端末ＩＤの受信時刻を取得する。
【００８６】
通信部２０は、通信ネットワークＮを介して基地局２００と接続し、携帯電話機３００との間の各種情報通信を実現するための通信装置である。
【００８７】
記憶部３０は、磁気的、光学的記録媒体等により構成され、サーバ１００のシステムプログラム（初期化情報等）や各種処理プログラム、及び当該プログラムの実行に必要な諸データ等を記憶している。
また、上記処理プログラムには重複判定プログラム３３ａ、真贋判定プログラム３４ａ、及び信頼度算出プログラム３５ａが、そしてこれらの処理プログラムの実行に必要な諸データには移動履歴ＤＢ３１ａ、及び信頼度データテーブル３２ａが、それぞれ含まれている。
【００８８】
移動履歴ＤＢ３１ａとは、携帯電話機３００の追跡結果を記憶するものであり、具体的には、各携帯電話機３００に割り当てられた端末ＩＤを対応付けた、移動履歴データテーブルを格納する。また、移動履歴データテーブルとは、対応付けられた端末ＩＤを発信する携帯電話機の追跡結果を記憶するものである。
【００８９】
図８は、移動履歴ＤＢ３１ａを示す図であり、この移動履歴ＤＢ３１ａに格納されている複数の移動履歴データテーブルの内、１つの移動履歴データテーブルが、図中下方に示されている。
同図によれば、移動履歴データテーブルは、端末ＩＤを受信した時刻（受信時刻）と、その時の発信位置と、重複フラグと、真贋フラグとを対応付けた複数のレコード（以下、各レコードを「移動履歴データレコード」という。）より構成される。この移動履歴データレコードは、端末ＩＤが受信される毎に生成され、移動履歴データテーブルに追加される。
【００９０】
重複フラグとは、当該移動履歴データレコードに該当する端末ＩＤの発信元である携帯電話機３００が複数存在する可能性の有無を示すフラグである。
具体的には、重複判定処理ａにおいて、該当する端末ＩＤを発信する携帯電話機３００が複数存在すると判定された場合に、ＯＮとなる。そして、この重複フラグがＯＮである移動履歴データレコードが、真贋判定処理ａにおける真贋判定の対象となり、該当する端末ＩＤを発信した携帯電話機３００が本物であるか否かを判定されると、ＯＦＦとなる。
【００９１】
真贋フラグとは、当該移動履歴データレコードに該当する端末ＩＤが、本物の携帯電話機３００から発信されたか否かを示すフラグである。
具体的には、該当する端末ＩＤが、本物と確認された携帯電話機３００から発信された場合、即ち重複判定処理ａ又は真贋判定処理ａにおいて、本物の携帯電話機３００から発信された端末ＩＤであることが確認された場合に、ＯＮとなる。言い換えれば、発信された携帯電話機３００が本物であるか否かを確認されていない場合、或いは贋物であると確認された場合には、ＯＦＦである。
【００９２】
信頼度データテーブル３２ａとは、携帯電話機３００に与えられる信頼度を記憶するものである。但し、ここで対象としている携帯電話機３００とは、“本物”であると確認されている携帯電話機３００である。
図９（ａ）は、信頼度データテーブル３２ａを示す図である。同図（ａ）によれば信頼度データテーブル３２ａは、各携帯電話機３００に割り当てられた端末ＩＤ毎に、信頼度、及び前回算出時刻を対応付けて記憶する。
【００９３】
信頼度は、追跡時間の経過に基づいて所定値が加算されていく累積値であり、具体的には、端末ＩＤを受信した累積回数（即ち、累積追跡時間）に比例する値である。
【００９４】
前回算出時刻とは、信頼度が更新された最近の時刻である。即ち、信頼度データテーブル（詳細には、上記信頼度）は、一定時間毎に実行される信頼度算出処理ａ（図１２参照）において更新されるが、この時の更新時刻が、この前回算出時刻に該当する。
【００９５】
図９（ｂ）は、追跡時刻の経過と信頼度との関係の概念を示す図である。同図（ｂ）においては、横軸を時間として、時刻ｔ１で追跡を中断し、その後時刻ｔ２で追跡を再開した様子を示している。
そして、時刻ｔ３を現在時刻とすると、追跡開始時刻は時刻ｔ２となり、連続追跡時間は、時刻ｔ２から時刻ｔ３までの経過時間となる。
【００９６】
また、信頼度は、追跡が中断した時刻ｔ１までは、経過時間に応じて所定値が複数回加算されることにより増加する。次いで、追跡が中断した時刻ｔ１から追跡が再開した時刻ｔ２までの間は、信頼度は“ゼロ”となる。その後、追跡が再開した時刻ｔ２からは、追跡時間の経過に伴って所定値が加算されていくことにより、信頼度は、再度増加する。
ここで、追跡再開後の信頼度の増加の割合、即ち加算していく所定値を、追跡中断前（時刻ｔ２以前）と比較し、一時的に大きい値（例えば、１．５倍）とする。そして、時刻ｔ３で、追跡が中断されない場合の値に到達すると、以降は、加算していく所定値の値を中断前の値とし、信頼度の増加の割合を元に戻す。
【００９７】
但し、同図（ｂ）は概念図であるため、実際には、上述のように一定時間毎に実行される信頼度算出処理により、信頼度データテーブル即ち信頼度が更新される。つまり、携帯電話機３００の追跡（即ち、端末ＩＤの受信）とともに増加するのではなく、上記一定時間毎に更新されることになる。
だが、この一定時間即ち更新間隔を短くすることで、同図（ｂ）とほぼ同様に変化する信頼度を得ることができる。
【００９８】
尚、この信頼度に加算する所定値（加算値）を、追跡開始後、一時的に大きい値とすることとしたが、特に変更しなくとも良い。また、追跡が中断された場合には、信頼度を“ゼロ”に戻すこととしたが、追跡中断時間に応じて所定度数下げることとしても良いし、特に下げることはせず、再開されるまで追跡中断前の信頼度を維持することとしても良い。
【００９９】
また、ここで得られる信頼度は、例えば追跡対象である携帯電話機３００がクレジットカードとしての機能を有する場合、サーバ１００が所定の決済システム、例えばクレジットカード会社が運営する決済システムと通信を行い、得られた信頼度を送信することで、当該携帯電話機３００に対する信頼度として扱うことができる。
【０１００】
一時記憶部４０（ＲＡＭ）は、制御部１０によって実行される各種処理において、記憶部３０や通信部２０から取得されるプログラムやデータ、若しくは処理データ等を一時的に格納する作業領域として用いられるものである。
【０１０１】
次に、サーバ１００の動作を説明する。
図１０は、重複判定処理ａを説明するフローチャートである。この重複判定処理ａは、端末ＩＤを受信する毎に、制御部１０により、重複判定プログラム３３ａに従って実行される処理である。
【０１０２】
同図によれば、制御部１０は、端末ＩＤを受信すると、この時中継した基地局２００より、当該端末ＩＤを発信した携帯電話機３００の位置を特定する（ステップＳ１１）。
そして、端末ＩＤを受信した時刻（受信時刻）と、特定した位置（発信位置）を対応付けた移動履歴データレコードを作成し、移動履歴ＤＢ３１ａ内の、端末ＩＤに対応する移動履歴データテーブル（以下、単に「移動履歴データテーブル」という。）の最後に、追加格納する（ステップＳ１２）。また、それとともに、制御部１０は、係る移動履歴データレコードに含まれる重複フラグ、及び真贋フラグを、以下のように決定する。
【０１０３】
制御部１０は、移動履歴データテーブルの最後に格納されていた移動履歴データレコード、即ち前回この端末ＩＤが受信された際の移動履歴データレコード（以下、「前回の移動履歴データレコード」という。）を参照し、前回の受信時刻から今回の受信時刻までの時間経過、即ち受信間隔を求める（ステップＳ１３）。そして、求めた受信間隔と、携帯電話機３００の発信間隔Ｔとを比較する（ステップＳ１４）。
【０１０４】
比較の結果、受信間隔と発信間隔Ｔとが等しい場合（ステップＳ１４：ＹＥＳ）、制御部１０は、前回の移動履歴データレコードを参照し、前回の発信位置から今回の発信位置までの移動距離を求める（ステップＳ１５）。そして、求めた移動距離が所定距離以内である場合（ステップＳ１６：ＹＥＳ）、１台の携帯電話機３００を追跡中であるとみなし、続いて、前回の移動履歴データテーブルの真贋フラグを判定する（ステップＳ１７）。
尚、ステップＳ１６における「所定距離」とは、図３、図５を参照して説明した、移動距離ｌの上限値Ｌに該当するものである。
【０１０５】
前回の移動履歴データレコードの真贋フラグがＯＮである場合（ステップＳ１７：ＹＥＳ）、制御部１０は、端末ＩＤの発信元である携帯電話機３００を“本物”であるとみなし、移動履歴データレコードの重複フラグをＯＦＦとするとともに、真贋フラグをＯＮとする（ステップＳ１８）。
また、前回の移動履歴データレコードの真贋フラグがＯＦＦである場合には（ステップＳ１７：ＮＯ）、端末ＩＤの発信元である携帯電話機３００を“本物”であることを確認できないため、移動履歴データレコードの重複フラグをＯＮとするとともに、真贋フラグをＯＦＦとする（ステップＳ１９）。
【０１０６】
一方、ステップＳ１６において、求めた移動距離が所定距離を超えた場合（ステップＳ１６：ＮＯ）、制御部１０は、追跡中の携帯電話機３００の移動が不適切である、即ち新たな携帯電話機３００が出現したものとみなし、移動履歴データレコードの重複フラグをＯＮとするとともに、真贋フラグをＯＦＦとする（ステップＳ１９）。
【０１０７】
また、ステップＳ１４において、受信間隔と発信間隔Ｔとが等しくなく（ステップＳ１４：ＮＯ）、更に受信間隔が発信間隔Ｔより大きい場合（ステップＳ２０：ＹＥＳ）、制御部１０は、携帯電話機３００が出現したものとみなし、当該携帯電話機３００、即ち端末ＩＤの発信元である携帯電話機３００の真贋を確認する処理を行う（ステップＳ２１）。
この真贋の確認方法として、制御部１０は、上述したように、当該携帯電話機３００との所定の情報通信を行ってその真贋を確認する方法や、正規の認証場所における確認作業、或いは携帯電話機３００の所有者からの使用開始通告等により、その真贋を確認する。
【０１０８】
尚、ステップＳ２０におけるＹＥＳ判定は、図４を参照して説明した、「追跡中の携帯電話機Ａの通信が遮断され、通信遮断時間Ｔｄ経過後、再度通信が開始された場合」に該当する。但し、通信遮断時間Ｔｄ＞発信間隔Ｔ、である。
【０１０９】
そして、係る携帯電話機３００が本物であると確認された場合（ステップＳ２２：ＹＥＳ）、制御部１０は、移動履歴データレコードの重複フラグをＯＦＦとするとともに、真贋フラグをＯＮにする（ステップＳ２３）。一方、本物であると確認できない場合には（ステップＳ２２：ＮＯ）、重複フラグをＯＮにするとともに、真贋判定フラグをＯＦＦとする（ステップＳ２４）。
【０１１０】
また、ステップＳ２０において、受信間隔が発信間隔Ｔより小さい場合（ステップＳ２０：ＮＯ）には、制御部１０は、携帯電話機３００が出現したとみなし、移動履歴データレコードの重複フラグをＯＮとするとともに、真贋判定フラグをＯＦＦとする（ステップＳ２４）。
【０１１１】
尚、ステップＳ２０におけるＮＯ判定は、図４を参照して説明した、「追跡中の携帯電話機Ａの通信が遮断され、通信遮断時間Ｔｄ経過後、再度通信が開始された場合」或いは、図４を参照して説明した、「携帯電話機Ａを追跡中、新たな携帯電話機Ｂが出現した場合」の何れかに該当するが、どちらであるかは判定できない場合である。但し、通信遮断時間Ｔｄ＜発信間隔Ｔ、である。
【０１１２】
このように、受信間隔と発信間隔Ｔとを比較し、その比較結果により、移動履歴データレコードの重複フラグ、及び真贋フラグを設定すると、制御部１０は、本重複判定処理ａを終了する。
【０１１３】
図１１は、真贋判定処理ａを説明するためのフローチャートである。この真贋判定処理ａは、一定時間毎、例えば２４時間毎に、制御部１０により、真贋判定プログラム３４ａに従って実行される処理である。
【０１１４】
同図によれば、制御部１０は、移動履歴ＤＢ３１ａに格納されている複数の移動履歴データテーブルの内、１つの移動履歴データテーブルを判定対象（以下、対象移動履歴データテーブル）という。）とする（ステップＳ３１）。
次に、この対象移動履歴データテーブルに格納されている移動履歴データレコードの中から、重複フラグがＯＮである移動履歴データレコードを、全て抽出する（ステップＳ３２）。但し、重複フラグがＯＮである移動履歴データレコードが無い場合には、再度ステップＳ３１に処理を移行し、次の移動履歴データテーブルを判定対象とする。
【０１１５】
そして、図５を参照して説明したように、抽出した移動履歴データレコードに含まれる受信時刻と発信位置、及び携帯電話機３００の発信間隔Ｔより、存在するであろう、当該端末ＩＤを発信する携帯電話機３００毎の移動パターンを抽出する（ステップＳ３３）。
【０１１６】
移動パターンを抽出すると、続いて、制御部１０は、これら抽出した移動パターンの内、１つの移動パターンを判定対象（以下、「対象移動パターン」という。）とする（ステップＳ３４）。そして、対象移動パターンと、本物と確認されている携帯電話機３００の移動パターン、具体的には、対象移動履歴データテーブルにおいて、真贋フラグがＯＮとなっている移動履歴データレコードから得られる移動パターンと照合することで、その真贋を判定する（ステップＳ３５）。
【０１１７】
判定の結果、本物の携帯電話機３００の移動パターンと判定する場合（ステップＳ３６：ＹＥＳ）、制御部１０は、対象移動パターンに該当する移動履歴データレコードの真贋フラグを、全てＯＮにする（ステップＳ３７）。一方、本物の携帯電話機３００の移動パターンでないと判定する場合には（ステップＳ３６：ＮＯ）、対象移動パターンに該当する移動履歴データテーブルの真贋フラグを、全てＯＦＦのままとする。
その後、対象移動パターンに該当する移動履歴データレコードの重複フラグを、全てＯＦＦとする（ステップＳ３８）。
【０１１８】
このように、対象移動パターンの真贋を判定すると、続いて、残りの移動パターンについても同様に、１つづつ、順に判定対象とし、ステップＳ３４〜Ｓ３８の処理を実行する。そして、抽出した全ての移動パターンについて上記処理を行うと（ステップＳ３９：ＹＥＳ）、対象移動履歴データテーブルに対する処理が終了したことになる。
【０１１９】
尚、この各移動パターンに対する真贋の判定において、判定基準により、複数の移動パターンについて本物の携帯電話機３００の移動パターンであると判定する、或いは１つも本物の携帯電話機３００の移動パターンでないと判定する場合がある。即ち、例えば、複数の携帯電話機３００の位置が近接する場合には、当該携帯電話機３００の移動パターンは何れも本物であると判定され、また、本物の携帯電話機３００であっても、変則的な移動をした場合には贋物であると判定される。
このため、１つの移動パターンのみを本物であると判定しない場合には、再度判定を行い、最も適切と思われる１つの移動パターンを本物の携帯電話機３００の移動パターンであると判定する処理を追加することとすればよい。
【０１２０】
続いて、残りの移動履歴データテーブルについても同様に、１つづつ、順に判定対象とし、ステップＳ３１〜Ｓ３９の処理を実行する。そして、全ての移動履歴データテーブルについて上記処理を行うと（ステップＳ４０：ＹＥＳ）、制御部１０は、本真贋判定処理ａを終了する。
【０１２１】
図１２は、信頼度算出処理ａを説明するためのフローチャートである。この信頼度算出処理は、上述の真贋判定処理ａが実行された後、続いて制御部１０により、信頼度算出プログラム３５ａに従って実行される処理である。
【０１２２】
同図によれば、制御部１０は、移動履歴ＤＢ３１ａに格納されている複数の移動履歴データテーブルの内、１つの移動履歴データテーブルを判定対象（以下、「対象データテーブル」という。）とする（ステップＳ５１）。
【０１２３】
そして、制御部１０は、対象データテーブルに対応する端末ＩＤ（以下、「対象端末ＩＤ」という。）の、信頼度算出の対象となる時間範囲（以下、「対象範囲」という。）を求める（ステップＳ５２）。具体的には、信頼度データテーブル３２ａを参照し、この端末ＩＤに該当する前回算出時刻から現在時刻までを、対象範囲とする。
【０１２４】
対象範囲を求めると、続いて制御部１０は、対象データテーブルの中から、受信時刻がこの対象範囲内であり、且つ真贋フラグがＯＮである移動履歴データレコードを、全て抽出する（ステップＳ５３）。
それとともに、制御部１０は、対象データテーブルの中から、受信時刻が前回算出時刻の直前であり、且つ真贋フラグがＯＮである移動履歴データレコードを検索し、この移動履歴データレコードを、判定基準の移動履歴データレコード（以下、「基準データレコード」という。）とする（ステップＳ５４）。
【０１２５】
そして、上記抽出した移動履歴データレコード中に、受信時刻が、基準データレコードの受信時刻から発信間隔Ｔだけ後のものが存在するか否かを判定する（ステップＳ５５）。
判定の結果、存在する場合には（ステップＳ５５：ＹＥＳ）、制御部１０は、信頼度データテーブル３２ａの対象端末ＩＤの信頼度を、所定値だけ加算した値に更新する（ステップＳ５６）。
【０１２６】
次いで、制御部１０は、抽出した移動履歴データレコードについて（ステップＳ５７：ＮＯ）、その受信時刻が古いものから順に基準データレコードとし（ステップＳ５８）、ステップＳ５５〜Ｓ５７の処理を実行する。
そして、抽出した全ての移動履歴データレコードについて上記処理を行うと（ステップＳ５７：ＹＥＳ）、信頼度データテーブル３２ａの対象端末ＩＤの前回算出時刻を、現在時刻に更新する（ステップＳ５９）
【０１２７】
このように、対象データテーブルに対する処理を行うと、続いて、残りの移動履歴データテーブルについても同様に、１つづつ、順に判定対象とし、ステップＳ５２〜Ｓ６０の処理を実行する。そして、全ての移動履歴データテーブルについて上記処理を行うと（ステップＳ６０：ＹＥＳ）、制御部１０は、本信頼度算出処理ａを終了する。
【０１２８】
尚、真贋判定処理ａ及び信頼度算出処理ａは、ともに所定時間毎に行うこととしたが、任意の時間に行うこととしてもよい。
具体的には、携帯電話機３００の追跡中、この携帯電話機３００に対する信頼度を得る必要が生じた時、例えば携帯電話機３００が有するクレジットカード機能を使用する時、或いは切符の検札等、必要に応じて実行し、この携帯電話機３００に対する必要な時点での信頼度を得ることができる。
【０１２９】
以上のように、端末追跡システム１０００は、携帯電話機３００から発信される端末ＩＤを受信し、これら携帯電話機３００を追跡する。従って、存在する携帯電話機３００を追跡するとともに、追跡結果を移動履歴ＤＢ３１ａとして記憶しておくことで、同一の端末ＩＤを発信する他の携帯電話機３００、即ち“贋物”の出現を、確実に判定できる。
【０１３０】
〔第２の実施例〕
次に、図１３〜図１７を参照し、第２の実施例について説明する。尚、図１３〜図１７において、第１の実施例と同一部分については同符号を付し、その詳細な説明を省略する。
本第２の実施例における端末追跡システムは、第１の実施例におけるサーバ１００の機能を、複数のサーバ装置により実現させることを特徴としている。
【０１３１】
図１３は、第２の実施例における端末追跡システム２０００の構成を示す図である。
同図によれば、端末追跡システム２０００は、統括サーバ４００、複数のエリアサーバ５００、複数の基地局２００、及び複数の携帯電話機３００より構成される。尚、同図においては、２つのエリアサーバ５００と、４つの基地局２００と、４つの携帯電話機３００とが示されているが、勿論これは幾つでも構わない。
【０１３２】
統括サーバ４００、及びエリアサーバ５００は、図２のサーバ１００と同様に、ＣＰＵ、ＲＡＭ、ＲＯＭ、補助記憶装置、ＣＤ或いはＭＯといった外部記憶媒体に記憶された情報を読込自在な記憶媒体読込装置、通信装置等がシステムバスを介して接続される、公知の汎用サーバ装置により実現される。
【０１３３】
統括サーバ４００は、エリアサーバ５００と接続され、これらのエリアサーバ５００と所定の情報通信を行う。具体的には、エリアサーバ５００からの要求に応じて、各エリアサーバ５００にて受信された端末ＩＤを、該当する他のエリアサーバ５００へ振り分ける処理を行う。
【０１３４】
エリアサーバ５００は、統括サーバ４００に接続されるとともに、通信ネットワークＮを介して基地局２００と接続される。そして、基地局２００を中継して携帯電話機３００と各種情報通信を行うとともに、統括サーバ４００との各種情報通信を行うことで、携帯電話機３００の位置を追跡するとともに、その真贋を判定する。
【０１３５】
ところで、各エリアサーバ５００には、当該エリアサーバ５００が担当する一乃至複数の端末ＩＤが割り当てられている。そして、エリアサーバ５００は、担当する端末ＩＤを発信する携帯電話機３００を、追跡及び真贋判定の対象とする。但し、各携帯電話機３００に割り当てられている端末ＩＤは、何れか１つのエリアサーバ５００に必ず担当されているものとする。言い換えれば、全ての端末ＩＤは、必ず、エリアサーバ５００の何れか１つによる追跡、及び真贋判定対象となっている。
【０１３６】
また、エリアサーバ５００は、接続された基地局２００の通信エリア内の携帯電話機３００から発信される端末ＩＤを受信するが、受信した端末ＩＤが担当する端末ＩＤでない場合には、係る端末ＩＤを、受信時刻及び発信位置とともに統括サーバ４００へ送信する。すると、統括サーバ４００は、この端末ＩＤを、担当する他のエリアサーバ５００へ送信する。
即ち、エリアサーバ５００は、発信位置に関わらず、担当する端末ＩＤを受信し、追跡、及び真贋判定の対象としている。
【０１３７】
言い換えれば、各携帯電話機３００が発信する端末ＩＤは、その発信位置に関わらず、当該端末ＩＤを担当するエリアサーバ５００へ送信される。即ち、各携帯電話機３００は、その位置に関わらず、当該携帯電話機３００が発信する端末ＩＤを担当するエリアサーバ５００にて追跡される。
【０１３８】
また、携帯電話機３００は、図２の携帯電話機３００と同一のものであり、電源が投入されている間、当該携帯電話機３００に割り振られている端末ＩＤを、発信間隔Ｔで発信する。
【０１３９】
次に、統括サーバ４００の構成について説明する。
図１４は、統括サーバ４００の内部構成を示すブロック図である。
同図によれば、統括サーバ４００は、制御部（ＣＰＵ）１０、通信部２０、記憶部３０、及び一時記憶部４０より構成される。
【０１４０】
制御部１０は、通信部２０を介して、受信時刻及び発信位置とともに端末ＩＤを受信する。そして、担当端末ＩＤテーブル３６を参照し、当該端末ＩＤを、受信時刻及び発信位置とともに、担当するエリアサーバ５００へ送信する。
【０１４１】
記憶部３０は、担当端末ＩＤテーブル３６を記憶する。この担当端末ＩＤテーブル３６は、各エリアサーバ５００が、どの端末ＩＤを担当しているかを記憶するものである。
図１５は、担当端末ＩＤテーブル３６を示す図である。同図によれば、担当端末ＩＤテーブル３６は、エリアサーバ５００毎に、担当する端末ＩＤを対応付けて格納する。即ち、この担当端末ＩＤテーブル３６に基づいて、統括サーバ４００は、受信した端末ＩＤを担当するエリアサーバ５００を判断し、該当するエリアサーバへ送信する。
【０１４２】
次に、エリアサーバ５００の構成について、説明する。
図１６は、エリアサーバ５００の内部構成を示すブロック図である。
同図によれば、エリアサーバ５００は、制御部（ＣＰＵ）１０、通信部２０、記憶部（ＨＤ：ハードディスク等）３０、及び一時記憶部（ＲＡＭ）４０より構成される。
【０１４３】
制御部１０は、重複判定プログラム３３ｂに従った重複判定処理ｂ（図１７参照）、真贋判定プログラム３４ｂに従った真贋判定処理ｂ、及び信頼度算出プログラム３５ｂに従った信頼度算出処理ｂを実行する。
【０１４４】
具体的には、重複判定処理ｂにおいて、制御部１０は、受信した端末ＩＤが担当する端末ＩＤである場合には、図１０の重複判定処理ａと同様の処理を行う。即ち、中継した基地局２００より、当該端末ＩＤを発信した携帯電話機３００の位置を特定する。そして、特定した位置、即ち発信位置とこの端末ＩＤを受信した時刻（受信時刻）とを対応付けて、移動履歴ＤＢ３１ｂ内の該当する領域に蓄積・記憶する。それとともに、移動履歴ＤＢ３１ｂを参照し、今回の受信時刻及び発信位置と、この端末ＩＤの前回の受信時刻及び発信位置より、係る端末ＩＤを発信する携帯電話機３００が複数存在するか否かを判定する。
一方、受信した端末ＩＤが担当する端末ＩＤでない場合には、受信時刻及び特定した発信位置とともに、当該端末ＩＤを、統括サーバ４００へ送信する。
【０１４５】
また、真贋判定処理ｂにおいて、制御部１０は、図１１の真贋判定処理ａと同様の処理を行う。即ち、移動履歴ＤＢ３１ｂを参照し、担当する端末ＩＤ毎に、重複判定処理ｂにおいて存在すると判定された複数の携帯電話機３００それぞれの真贋を判定する。
【０１４６】
また、信頼度算出処理ｂにおいて、制御部１０は、図１２の信頼度算出処理ａと同様の処理を行う。即ち、移動履歴ＤＢ３１ｂを参照し、端末ＩＤ毎に、複数の携帯電話機３００それぞれの信頼度を算出するとともに、信頼度データテーブル３２ｂを更新する。
【０１４７】
記憶部３０は、重複判定プログラム３３ｂ、真贋判定プログラム３４ｂ、及び信頼度算出プログラム３５ｂを含む各種処理プログラム、そして移動履歴ＤＢ３１ｂ、及び信頼度データテーブル３２ｂを含む、上記処理プログラムの実行に必要な諸データを記憶する。
この移動履歴ＤＢ３１ｂは、図８の移動履歴ＤＢ３１ａと同様の構成である。但し、格納する移動履歴データテーブルは、担当する端末ＩＤに対応する移動履歴データテーブルである。また信頼度データテーブル３２ｂは、図９（ａ）の信頼度データテーブル３２ａと同様の構成である。但し、格納するデータは、担当する端末ＩＤに対応するデータである。
【０１４８】
次に、エリアサーバ５００の重複判定処理ｂにおける動作を、図１７を参照して詳細に説明する。
図１７は、重複判定処理ｂを説明するためのフローチャートである。
この重複判定処理ｂは、制御部１０により、重複判定プログラム３３ｂに従って実行される処理である。
【０１４９】
同図によれば、制御部１０は、端末ＩＤを受信すると、この受信した端末ＩＤが、統括サーバ４００から送信された端末ＩＤであるのか、或いは当該エリアサーバ５００に接続された基地局２００の通信エリア内の携帯電話機３００から発信された端末ＩＤであるのかを判定する（ステップＳ５１）。
【０１５０】
判定の結果、統括サーバ４００から送信された端末ＩＤである場合（ステップＳ５１：ＹＥＳ）、即ち他のエリアサーバ５００にて受信された端末ＩＤである場合には、続いて、図１０に示す重複判定処理ａを実行する（ステップＳ５２）。
【０１５１】
但し、この重複判定処理ａのステップＳ１１において、端末ＩＤの発信元である携帯電話機３００の位置、即ち発信位置を特定する必要はない。そして、ステップＳ１２においては、統括サーバ４００より、端末ＩＤとともに受信した受信時刻及び発信位置を対応付けた移動履歴データレコードを作成し、移動履歴ＤＢ３１ｂ内の、該当する移動履歴データテーブルの最後に追加格納する。
【０１５２】
また、ステップＳ５１において、判定の結果、受信した端末ＩＤが統括サーバ４００から送信された端末ＩＤでない場合（ステップＳ５１：ＮＯ）、即ち接続された基地局２００の通信エリア内の携帯電話機３００から受信した端末ＩＤである場合には、制御部１０は、移動履歴ＤＢ３１ｂを参照し、担当する端末ＩＤであるか否かを判定する（ステップＳ５３）。
【０１５３】
判定の結果、担当する端末ＩＤである場合（ステップＳ５３：ＹＥＳ）、続いて、図１０に示す重複判定処理ａを実行する（ステップＳ５２）。
一方、担当する端末ＩＤでない場合には（ステップＳ５３：ＮＯ）、中継した基地局２００より、この端末ＩＤの発信元である携帯電話機３００の位置（発信位置）を特定する（ステップＳ５４）。そして、特定した発信位置、及び受信時刻とともに、係る端末ＩＤを、統括サーバ４００に送信する（ステップＳ５５）。
以上の処理を行うと、制御部１０は、本重複判定処理ｂを終了する。
【０１５４】
以上のように、端末追跡システム２０００は、携帯電話機３００から発信される端末ＩＤを受信し、これら携帯電話機３００を追跡する。従って、存在する携帯電話機３００を追跡するとともに、追跡結果を移動履歴ＤＢ３１ｂとして記憶しておくことで、同一の端末ＩＤを発信する他の携帯電話機３００、即ち“贋物”の出現を、確実に判定できる。
【０１５５】
〔変形例〕
尚、本発明は、上記第１及び第２の実施例に限定されるものではなく、本発明の趣旨を逸脱しない範囲で適宜変更可能である。
【０１５６】
例えば、第２の実施例において、各携帯電話機３００の追跡、及び真贋判定を、ともに統括サーバ４００にて実現することとしてもよい。
即ち、エリアサーバ５００は、接続された基地局２００を中継して、携帯電話機３００から発信される端末ＩＤを受信すると、その時の受信時刻と発信位置とを対応付けたデータを、端末ＩＤ毎に蓄積・記憶する。つまり、担当するＩＤであるか否かに関わらず、携帯電話機３００から受信した全ての端末ＩＤに関するデータ（追跡データ）を記憶する。
そして、統括サーバ４００は、所定時間毎に、各エリアサーバ５００が蓄積・記憶している追跡データを取得する。そして、取得した追跡データに基づいて、端末ＩＤ毎に、同一の端末ＩＤを発信する携帯電話機３００が複数存在するか否かを判定するとともに、複数存在すると判定した場合には、それぞれの真贋を判定する。
【０１５７】
また、端末ＩＤの発信元である携帯電話機３００の位置、即ち端末ＩＤの発信位置の特定を、中継した基地局２００の位置により行うこととしたが、携帯電話機３００が、当該携帯電話機３００の位置を示す位置情報を発信することとしてもよい。
具体的には、携帯電話機３００を、ＧＰＳ受信機としての機能を有するものとする。そして、携帯電話機３００は、所定の測位動作を行うことで当該携帯電話機３００の位置を示す位置情報を取得し、取得した位置情報を、端末ＩＤとともに発信する。
【０１５８】
また、携帯電話機３００の位置を、駅構内やショッピングセンター等の建物など、閉ざされた空間内であるか否かと判定することとしてもよい。
即ち、この閉空間内部に設けられる所定の出入り口において、携帯電話機３００が発信する端末ＩＤを受信し、当該携帯電話機３００の出場／入場を判定することで、携帯電話機３００の位置を特定する。
そして、ある携帯電話機３００が閉空間内に存在すると特定されており、且つ出入り口において当該携帯電話３００の出場が検知されていないにも関わらず、同一の端末ＩＤを発信する携帯電話機３００がこの閉空間外に存在する場合、若しくはその閉空間に出入り口から入ろうとした場合には、同一の端末ＩＤを発信する複数の携帯電話機３００が存在すると判定する。即ち、“贋物”の判定を確実に行うことができる。
【０１５９】
また、携帯電話機３００は、電源が投入されている間のみ端末ＩＤを発信することとしたが、電源の投入／遮断に関わらず、常に端末ＩＤを発信することとしてもよい。
【０１６０】
また、上記実施例においては、携帯端末の一例として携帯電話機３００を用いて説明したが、ＰＤＡ等の情報携帯端末であっても良いし、非接触ＩＤタグと呼ばれるものであっても良いし、更にこの非接触ＩＤタグを備えるカード（クレジットカード等）であっても良い。
非接触ＩＤタグとは、リーダ／ライタ装置から所定の電波を受けると、内蔵されたコイルによる誘導電流によって、自発的に電力を生成して内蔵回路を起動し、内蔵メモリに記憶されたデータを発信等するものである。すなわち、基地局２００の代わりに、リーダ／ライタ装置を配置することにより、非接触ＩＤタグを携帯電話機３００の代わりに利用することができる。但し、リーダ／ライタ装置と、非接触ＩＤタグ間の通信距離には制約がある。このため、例えば、遊戯施設等の一定の地域内において適用することとしたり、改札口にリーダ／ライタ装置を設置して鉄道施設内（閉空間内）への出入りを監視するといった場合の適用が、より実用的である。
【０１６１】
また、本明細書においては技術的事項の開示に留めているが、本発明の適用可能な範囲は、実施例に限定されるものではない。例えば、クレジットカードやＩＣカード、クレジットカードの機能を有する携帯電話機などの、ＩＤ或いはＩＤを有する固体の真正を保証するための種々のシステムに適用可能である。
【図面の簡単な説明】
【０１６２】
【図１】端末追跡システムの追跡に係る動作を説明するためのフローチャートである。
【図２】端末追跡システムの構成を示す図である。
【図３】携帯電話機Ａを追跡中の様子を示す図である。
【図４】携帯電話機Ａを追跡中、一時電源が遮断された様子を示す図である。
【図５】携帯電話機Ａを追跡中、携帯電話機Ｂが出現した様子を示す図である。
【図６】携帯電話機の内部構成を示すブロック図である。
【図７】サーバの内部構成を示すブロック図である。
【図８】移動履歴ＤＢ、及び移動履歴データテーブルを示す図である。
【図９】信頼度データテーブルを示す図である。
【図１０】重複判定処理ａを説明するフローチャートである。
【図１１】真贋判定処理ａを説明するフローチャートである。
【図１２】信頼度算出処理ａを説明するフローチャートである。
【図１３】第２の実施例における端末追跡システムの構成を示す図である。
【図１４】統括サーバの内部構成を示す図である。
【図１５】担当端末ＩＤテーブルを示す図である。
【図１６】エリアサーバの内部構成を示す図である。
【図１７】重複判定処理ｂを説明するフローチャートである。
【符号の説明】
【０１６３】
１０００、２０００  端末追跡システム
１００  サーバ
１０  制御部（ＣＰＵ）
２０  通信部
３０  記憶部（ＨＤ等）
３１ａ、３１ｂ  移動履歴ＤＢ
３２ａ、３２ｂ  信頼度データテーブル
３３ａ、３３ｂ  重複判定プログラム
３４ａ、３４ｂ  真贋判定プログラム
３５ａ、３５ｂ  信頼度算出プログラム
３６  担当端末ＩＤテーブル
４０  一時記憶部（ＲＡＭ）
２００  基地局
３００  携帯電話機
５０  制御部（ＣＰＵ）
６０  入力部
７０  表示部
８０  無線通信部
９１  記憶部（ＲＯＭ）
９２  一時記憶部（ＲＡＭ）
４００  統括サーバ
５００  エリアサーバ
Ｎ  通信回線
【図１】
2007282249.tif 000003
【図２】
2007282249.tif 000004
【図３】
2007282249.tif 000005
【図４】
2007282249.tif 000006
【図５】
2007282249.tif 000007
【図６】
2007282249.tif 000008
【図７】
2007282249.tif 000009
【図８】
2007282249.tif 000010
【図９】
2007282249.tif 000011
【図１０】
2007282249.tif 000012
【図１１】
2007282249.tif 000013
【図１２】
2007282249.tif 000014
【図１３】
2007282249.tif 000015
【図１４】
2007282249.tif 000016
【図１５】
2007282249.tif 000017
【図１６】
2007282249.tif 000018
【図１７】
2007282249.tif 000019